(57)【要約】【課題】クーポン等の提供情報によって送客に寄与することを図る。【解決手段】端末装置は、車両と通信を行う車両インタフェースと、情報配信装置から端末装置へ配信された提供情報を選択するユーザ操作を受け付けた場合に、提供情報に基づいたナビゲーション情報を車両へ車両インタフェースにより送信する端末制御部とを備える。【選択図】図３
2020003369.tif 000002
【特許請求の範囲】
【請求項１】
端末装置において、
車両と通信を行う車両インタフェースと、
情報配信装置から前記端末装置へ配信された提供情報を選択するユーザ操作を受け付けた場合に、前記提供情報に基づいたナビゲーション情報を前記車両へ前記車両インタフェースにより送信する端末制御部と、
を備える端末装置。
【請求項２】
前記端末制御部は、前記車両インタフェースにより前記車両と通信接続されていない場合、前記端末装置の表示画面に前記ナビゲーション情報を表示させる、
請求項１に記載の端末装置。
【請求項３】
前記ナビゲーション情報は、前記提供情報に含まれる位置情報で特定される目的地を含む情報である、
請求項１又は２のいずれか１項に記載の端末装置。
【請求項４】
前記ナビゲーション情報は、前記目的地へのナビゲーション画面である、
請求項３に記載の端末装置。
【請求項５】
車両に搭載される情報処理装置において、
情報配信装置から前記情報処理装置へ配信された提供情報を選択するユーザ操作を受け付けた場合に、前記提供情報に基づいたナビゲーション情報を前記情報処理装置の表示画面に表示させるナビゲーション制御部と、を備え、
前記ナビゲーション制御部は、前記提供情報に含まれる位置情報で特定される目的地へのナビゲーションを実行する、
情報処理装置。
【請求項６】
前記ナビゲーション制御部は、前記車両が前記目的地に到着するタイミングで、前記提供情報を端末装置へ送信する、
請求項５に記載の情報処理装置。
【請求項７】
端末装置が、車両と通信を行う通信ステップと、
前記端末装置が、情報配信装置から前記端末装置へ配信された提供情報を選択するユーザ操作を受け付けた場合に、前記提供情報に基づいたナビゲーション情報を前記車両へ送信する端末制御ステップと、
を含むナビゲーション方法。
【請求項８】
車両に搭載される情報処理装置が、情報配信装置から前記情報処理装置へ配信された提供情報を選択するユーザ操作を受け付けた場合に、前記提供情報に基づいたナビゲーション情報を前記情報処理装置の表示画面に表示させるナビゲーション制御ステップを含み、
前記ナビゲーション制御ステップは、前記提供情報に含まれる位置情報で特定される目的地へのナビゲーションを実行する、
ナビゲーション方法。
【請求項９】
端末装置のコンピュータに、
車両と通信を行う車両インタフェース機能と、
情報配信装置から前記端末装置へ配信された提供情報を選択するユーザ操作を受け付けた場合に、前記提供情報に基づいたナビゲーション情報を前記車両へ前記車両インタフェース機能により送信する端末制御機能と、
を実現させるためのコンピュータプログラム。
【請求項１０】
車両に搭載されるコンピュータに、
情報配信装置から前記コンピュータへ配信された提供情報を選択するユーザ操作を受け付けた場合に、前記提供情報に基づいたナビゲーション情報を前記コンピュータの表示画面に表示させるナビゲーション制御機能を実現させるためのコンピュータプログラムであり、
前記ナビゲーション制御機能は、前記提供情報に含まれる位置情報で特定される目的地へのナビゲーションを実行する、
コンピュータプログラム。
【発明の詳細な説明】
【技術分野】
【０００１】
本発明は、端末装置、情報処理装置、ナビゲーション方法及びコンピュータプログラムに関する。
【背景技術】
【０００２】
従来より、自動車の運転者に対して、店舗で利用できる割引等のクーポンを自動車のユーザインタフェースの表示装置に表示して提示する情報提供技術が知られている（例えば、特許文献１参照）。
【先行技術文献】
【特許文献】
【０００３】
【特許文献１】特表２０１２−５０３４６８号公報
【発明の概要】
【発明が解決しようとする課題】
【０００４】
しかし、上述した従来の装置では、クーポンを利用できる店舗への送客を図ることまでは考慮されていない。
【０００５】
本発明は、このような事情を考慮してなされたものであり、その目的は、クーポン等の提供情報によって送客に寄与することを図ることにある。
【課題を解決するための手段】
【０００６】
（１）本発明の一態様は、端末装置において、車両と通信を行う車両インタフェースと、情報配信装置から前記端末装置へ配信された提供情報を選択するユーザ操作を受け付けた場合に、前記提供情報に基づいたナビゲーション情報を前記車両へ前記車両インタフェースにより送信する端末制御部と、を備える端末装置である。
（２）本発明の一態様は、前記端末制御部は、前記車両インタフェースにより前記車両と通信接続されていない場合、前記端末装置の表示画面に前記ナビゲーション情報を表示させる、上記（１）の端末装置である。
（３）本発明の一態様は、前記ナビゲーション情報は、前記提供情報に含まれる位置情報で特定される目的地を含む情報である、上記（１）又は（２）のいずれかの端末装置である。
（４）本発明の一態様は、前記ナビゲーション情報は、前記目的地へのナビゲーション画面である、上記（３）の端末装置である。
【０００７】
（５）本発明の一態様は、車両に搭載される情報処理装置において、情報配信装置から前記情報処理装置へ配信された提供情報を選択するユーザ操作を受け付けた場合に、前記提供情報に基づいたナビゲーション情報を前記情報処理装置の表示画面に表示させるナビゲーション制御部と、を備え、前記ナビゲーション制御部は、前記提供情報に含まれる位置情報で特定される目的地へのナビゲーションを実行する、情報処理装置である。
（６）本発明の一態様は、前記ナビゲーション制御部は、前記車両が前記目的地に到着するタイミングで、前記提供情報を端末装置へ送信する、上記（５）に記載の情報処理装置である。
【０００８】
（７）本発明の一態様は、端末装置が、車両と通信を行う通信ステップと、前記端末装置が、情報配信装置から前記端末装置へ配信された提供情報を選択するユーザ操作を受け付けた場合に、前記提供情報に基づいたナビゲーション情報を前記車両へ送信する端末制御ステップと、を含むナビゲーション方法である。
【０００９】
（８）本発明の一態様は、車両に搭載される情報処理装置が、情報配信装置から前記情報処理装置へ配信された提供情報を選択するユーザ操作を受け付けた場合に、前記提供情報に基づいたナビゲーション情報を前記情報処理装置の表示画面に表示させるナビゲーション制御ステップを含み、前記ナビゲーション制御ステップは、前記提供情報に含まれる位置情報で特定される目的地へのナビゲーションを実行する、ナビゲーション方法である。
【００１０】
（９）本発明の一態様は、端末装置のコンピュータに、車両と通信を行う車両インタフェース機能と、情報配信装置から前記端末装置へ配信された提供情報を選択するユーザ操作を受け付けた場合に、前記提供情報に基づいたナビゲーション情報を前記車両へ前記車両インタフェース機能により送信する端末制御機能と、を実現させるためのコンピュータプログラムである。
（１０）本発明の一態様は、車両に搭載されるコンピュータに、情報配信装置から前記コンピュータへ配信された提供情報を選択するユーザ操作を受け付けた場合に、前記提供情報に基づいたナビゲーション情報を前記コンピュータの表示画面に表示させるナビゲーション制御機能を実現させるためのコンピュータプログラムであり、前記ナビゲーション制御機能は、前記提供情報に含まれる位置情報で特定される目的地へのナビゲーションを実行する、コンピュータプログラムである。
【発明の効果】
【００１１】
本発明によれば、クーポン等の提供情報によって送客に寄与することを図ることができるという効果が得られる。
【図面の簡単な説明】
【００１２】
【図１】一実施形態に係る情報提供システムの概略構成図である。
【図２】一実施形態に係る情報配信装置の機能構成例を示すブロック図である。
【図３】一実施形態に係る端末装置の機能構成例を示すブロック図である。
【図４】一実施形態に係るＩＶＩ機器の機能構成例を示すブロック図である。
【図５】一実施形態に係るナビゲーション方法の手順の例を示すフローチャートである。
【図６】一実施形態に係るナビゲーション方法の例を説明する。
【図７】一実施形態に係る情報提供システムの概略構成図である。
【図８】一実施形態に係る端末装置の機能構成例を示すブロック図である。
【図９】一実施形態に係るＩＶＩ機器の機能構成例を示すブロック図である。
【図１０】一実施形態に係るナビゲーション方法の手順の例を示すフローチャートである。
【図１１】一実施形態に係る情報提供システムの適用例の説明図である。
【発明を実施するための形態】
【００１３】
以下、図面を参照し、本発明の実施形態について説明する。なお、以下に示す実施形態では、車両として自動車を例に挙げて説明する。
【００１４】
［第１実施形態］
図１は、第１実施形態に係る情報提供システムの概略構成図である。図１において、情報提供システム１ａは、情報配信装置３０と、端末装置４０ａと、自動車５０と、を備える。端末装置４０ａは、自動車５０の車内に存在してもよく、又は、自動車５０の車外に存在してもよい。
【００１５】
自動車５０は、ＴＣＵ（Tele Communication Unit）５１と、車載インフォテイメント（In-Vehicle Infotainment：ＩＶＩ）機器５２ａと、ゲートウェイ（ＧＷ）装置５３と、通信ネットワーク５４と、複数のＥＣＵ（Electronic Control Unit：電子制御装置）５５とを備える。ＩＶＩ機器５２ａは情報処理装置の例である。
【００１６】
ＥＣＵ５５は、自動車５０に備わる車載コンピュータである。ＥＣＵ５５は、自動車５０のエンジン制御等の制御機能を有する。ＥＣＵ５５として、例えば、エンジン制御機能を有するＥＣＵ、トランスミッション制御機能を有するＥＣＵ、ハンドル制御機能を有するＥＣＵ、ブレーキ制御機能を有するＥＣＵなどがある。ＧＷ装置５３は、自動車５０に搭載されたＥＣＵ５５に適用されるデータのセキュリティ（保安）の機能を有する。
【００１７】
ＧＷ装置５３と複数のＥＣＵ５５は、自動車５０に備わる通信ネットワーク（以下、車載ネットワークと称する）５４に接続される。車載ネットワーク５４は、例えば、ＣＡＮ（Controller Area Network）であってもよい。ＣＡＮは車両に搭載される通信ネットワークの一例として知られている。ＧＷ装置５３は、車載ネットワーク５４を介して、各ＥＣＵ５５との間でデータを交換する。ＥＣＵ５５は、車載ネットワーク５４を介して、他のＥＣＵ５５との間でデータを交換する。
【００１８】
なお、車載ネットワーク５４として、ＣＡＮ以外の通信ネットワークを自動車５０に備え、ＣＡＮ以外の通信ネットワークを介して、ＧＷ装置５３とＥＣＵ５５との間のデータの交換、及び、ＥＣＵ５５同士の間のデータの交換が行われてもよい。例えば、ＬＩＮ（Local Interconnect Network）を自動車５０に備えてもよい。また、ＣＡＮとＬＩＮとを自動車５０に備えてもよい。
【００１９】
ＴＣＵ５１は、ＩＶＩ機器５２ａとＧＷ装置５３とに接続されている。ＴＣＵ５１は通信装置である。本実施形態では、ＴＣＵ５１は、無線通信ネットワークを利用して通信を行う。例えば、ＴＣＵ５１は、無線通信ネットワークを介して、情報配信装置３０と通信を行ってもよい。例えば、ＴＣＵ５１は、無線通信ネットワークを介して、自動車５０の車内又は車外に存在する端末装置４０ａと通信を行ってもよい。
【００２０】
ＩＶＩ機器５２ａは、例えば、ナビゲーション機能、位置情報サービス機能、音楽や動画などのマルチメディア再生機能、音声通信機能、データ通信機能、インターネット接続機能などを備える。ＩＶＩ機器５２ａは、ユーザの操作に応じたデータ入力を行うための、キーボード、テンキー、マウス等の入力デバイスと、データ表示を行うための液晶表示装置等の表示デバイスとを備える。ＩＶＩ機器５２ａは、データ入力とデータ表示の両方が可能なタッチパネルを備えてもよい。
【００２１】
ＩＶＩ機器５２ａは、ＴＣＵ５１とＧＷ装置５３とに接続されている。ＩＶＩ機器５２ａは、ＧＷ装置５３を介してＥＣＵ５５と通信を行う。また、ＩＶＩ機器５２ａは、ＧＷ装置５３を介して、車載ネットワーク５４を流れる自動車５０の車両情報を取得する。
【００２２】
また、ＩＶＩ機器５２ａは、近距離無線通信機能を備える。近距離無線通信は、例えば、「Wi-Fi（登録商標）」等の無線ＬＡＮ（Local Area Network）の無線通信であってもよく、又は、ＢＬＥ等の「Bluetooth（登録商標）」の無線通信であってもよい。ＩＶＩ機器５２ａは、近距離無線通信により端末装置４０ａと通信を行ってもよい。また、ＩＶＩ機器５２ａは、ＴＣＵ５１を介して、端末装置４０ａや情報配信装置３０と通信を行ってもよい。
【００２３】
また、ＩＶＩ機器５２ａは、端末装置４０ａとの連携を行うための端末インタフェースを備える。端末インタフェースは、端末装置４０ａのアプリケーションが生成した画面をＩＶＩ機器５２ａの表示デバイスにより表示する機能や、自動車５０の車両情報を端末装置４０ａへ送信する機能などを有する。端末インタフェースによって、例えば、自動車５０の車両情報の一例であるギア情報を端末装置４０ａへ送信することができる。ギア情報は、自動車５０のトランスミッションのギアの状態を示す車両情報である。端末装置４０ａは、自動車５０から受信したギア情報によって、自動車５０のトランスミッションのギアが「パーキング（駐車）」状態になっているのか否かを認識することができる。
【００２４】
端末装置４０ａは、自動車５０の車内に存在してもよく、又は、自動車５０の車外に存在してもよい。端末装置４０ａは、通信路１０６を介して自動車５０のＩＶＩ機器５２ａと通信を行う。通信路１０６は、端末装置４０ａとＩＶＩ機器５２ａ間の近距離無線通信の通信路であってもよい。通信路１０６は、ＴＣＵ５１経由の通信路であってもよい。通信路１０６は、例えば、ＴＣＵ５１が利用する無線通信ネットワークと、インターネットとを含む通信路であってもよい。通信路１０６は、通信ケーブルにより構成されてもよい。例えば、端末装置４０ａとＩＶＩ機器５２ａとを通信ケーブルで接続し、端末装置４０ａとＩＶＩ機器５２ａとは当該通信ケーブルを介してデータを送受してもよい。例えば、端末装置４０ａとＩＶＩ機器５２ａとをＵＳＢ（universal serial bus）ケーブルで接続し、端末装置４０ａとＩＶＩ機器５２ａとはＵＳＢケーブルを介してＵＳＢ通信を行ってもよい。
【００２５】
情報配信装置３０と端末装置４０ａとは、通信路１０４を介して通信を行う。通信路１０４は、無線通信路であってもよく、又は、有線通信路であってもよく、又は、無線通信路と有線通信路とから構成されてもよい。通信路１０４は、例えば、端末装置４０ａが利用する無線通信ネットワークと、インターネットとを含む通信路であってもよい。端末装置４０ａが利用する無線通信ネットワークは、携帯電話ネットワークであってもよく、又は、無線ＬＡＮであってもよい。
【００２６】
情報配信装置３０は、提供情報を配信する装置である。本実施形態の一例として、情報配信装置３０は、通信路１０４を介して提供情報を端末装置４０ａへ送信する。提供情報は、例えば、店舗で利用できる割引等の特典が付いた電子クーポンや広告、給油所や自動車整備工場等のサービス施設の紹介やサービス施設までの道案内などの情報である。
【００２７】
図２は、本実施形態に係る情報配信装置の機能構成例を示すブロック図である。図２において、情報配信装置３０は、情報提供制御部１０と、提供情報送信部３１と、提供情報取得部３２と、ユーザ登録部３３と、成果処理部３４と、を備える。
【００２８】
情報提供制御部１０は、提供情報の配信を制御する。提供情報送信部３１は、情報提供制御部１０による送信タイミングの制御に基づいて提供情報を送信する。本実施形態の一例として、提供情報送信部３１は、通信路１０４を介して提供情報を端末装置４０ａへ送信する。提供情報取得部３２は、配信する提供情報を取得し、取得した提供情報を保持する。ユーザ登録部３３は、端末装置４０ａのユーザ（以下、端末ユーザと称する）のユーザ登録情報を記録する。成果処理部３４は、端末装置４０ａへ提供情報を配信した結果として得られる成果を処理するための成果処理を実行する。
【００２９】
情報配信装置３０の機能は、情報配信装置３０がＣＰＵ（Central Processing Unit：中央演算処理装置）及びメモリ等のコンピュータハードウェアを備え、ＣＰＵがメモリに格納されたコンピュータプログラムを実行することにより実現される。なお、情報配信装置３０として、汎用のコンピュータ装置を使用して構成してもよく、又は、専用のハードウェア装置として構成してもよい。
【００３０】
図３は、本実施形態に係る端末装置の機能構成例を示すブロック図である。図３には、端末装置４０ａの情報提供に係る機能構成が示される。図３において、端末装置４０ａは、車両インタフェース４１と、車両情報取得部４２と、提供情報受信部４４と、表示部４５と、操作部４６と、端末制御部４７とを備える。
【００３１】
車両インタフェース４１は、通信路１０６を介する通信により、ＩＶＩ機器５２ａの端末インタフェースと連携を行う。車両インタフェース４１は、端末装置４０ａのアプリケーションが生成した端末アプリケーション画面をＩＶＩ機器５２ａへ送信し、ＩＶＩ機器５２ａの端末インタフェースにより当該端末アプリケーション画面をＩＶＩ機器５２ａの表示デバイスにより表示させる機能や、自動車５０の車両情報をＩＶＩ機器５２ａの端末インタフェースから受信する機能などを有する。車両情報取得部４２は、自動車５０の車両情報を車両インタフェース４１により取得する。
【００３２】
提供情報受信部４４は、情報配信装置３０から配信された提供情報を受信する。本実施形態の一例として、提供情報受信部４４は、情報配信装置３０から通信路１０４を介して提供情報を受信する。
【００３３】
表示部４５は、データ表示を行うための表示デバイスを備える。表示部４５は、提供情報を表示する。本実施形態の一例として、表示部４５は、提供情報受信部４４が情報配信装置３０から受信した提供情報を表示する。操作部４６は、ユーザの操作に応じたデータ入力を行うための入力デバイスを備える。表示部４５及び操作部４６は、データ入力とデータ表示の両方が可能なタッチパネルであってもよい。
【００３４】
端末制御部４７は、端末装置４０ａの制御を行う。端末制御部４７は、情報配信装置３０から端末装置４０ａへ配信された提供情報を選択するユーザ操作を受け付けた場合に、当該提供情報に基づいたナビゲーション情報を自動車５０へ車両インタフェース４１により送信する。ナビゲーション情報は、提供情報に含まれる位置情報で特定される目的地を含む情報であってもよく、又は、当該目的地へのナビゲーション画面であってもよい。
【００３５】
端末装置４０ａの機能は、端末装置４０ａがＣＰＵ及びメモリ等のコンピュータハードウェアを備え、ＣＰＵがメモリに格納されたコンピュータプログラムを実行することにより実現される。なお、端末装置４０ａとして、汎用のコンピュータ装置を使用して構成してもよく、又は、専用のハードウェア装置として構成してもよい。また、端末装置４０ａとして、スマートフォン等の携帯通信端末装置、タブレット型のコンピュータ装置（タブレットＰＣ）などを利用してもよい。
【００３６】
図４は、本実施形態に係るＩＶＩ機器の機能構成例を示すブロック図である。図４には、ＩＶＩ機器５２ａの情報提供に係る機能構成が示される。図４において、ＩＶＩ機器５２ａは、端末インタフェース５２１と、車両情報提供部５２２と、表示部５２３と、操作部５２４と、ナビゲーション制御部５２５とを備える。
【００３７】
端末インタフェース５２１は、通信路１０６を介する通信により、端末装置４０ａの車両インタフェース４１と連携を行う。端末インタフェース５２１は、端末装置４０ａのアプリケーションが生成した端末アプリケーション画面を車両インタフェース４１から受信し、受信した端末アプリケーション画面を表示部５２３に表示する機能や、自動車５０の車両情報を車両インタフェース４１へ送信する機能などを有する。
【００３８】
車両情報提供部５２２は、ＧＷ装置５３を介して、車載ネットワーク５４を流れる自動車５０の車両情報を取得する。車両情報提供部５２２は、ＧＷ装置５３を介して取得した自動車５０の車両情報を端末インタフェース５２１により端末装置４０ａへ提供する。
【００３９】
表示部５２３は、データ表示を行うための表示デバイスを備える。操作部５２４は、ユーザの操作に応じたデータ入力を行うための入力デバイスを備える。表示部５２３及び操作部５２４は、データ入力とデータ表示の両方が可能なタッチパネルであってもよい。
【００４０】
ナビゲーション制御部５２５は、ＩＶＩ機器５２ａのナビゲーション機能の制御を行う。ナビゲーション制御部５２５は、端末装置４０ａから端末インタフェース５２１により受信したナビゲーション情報に基づいてナビゲーションを実行する。端末装置４０ａから受信したナビゲーション情報が目的地を示す目的地情報である場合、ナビゲーション制御部５２５は、当該目的地情報で示される目的地へのナビゲーションを実行する。端末装置４０ａから受信したナビゲーション情報が目的地へのナビゲーション画面である場合、ナビゲーション制御部５２５は、当該ナビゲーション画面を使用して目的地へのナビゲーションを実行する。
【００４１】
ＩＶＩ機器５２ａの機能は、ＩＶＩ機器５２ａがＣＰＵ及びメモリ等のコンピュータハードウェアを備え、ＣＰＵがメモリに格納されたコンピュータプログラムを実行することにより実現される。
【００４２】
次に本実施形態に係るナビゲーション方法の例を説明する。
【００４３】
＜ナビゲーション方法の例Ａ−１＞
図５を参照して、本実施形態に係るナビゲーション方法の例Ａ−１を説明する。図５は、本実施形態に係るナビゲーション方法の手順の例Ａ−１を示すフローチャートである。
【００４４】
端末ユーザは、事前に、情報配信装置３０にユーザ登録を行う。情報配信装置３０のユーザ登録部３３は、端末ユーザのユーザ登録により取得した端末ユーザのユーザ登録情報を記録する。ユーザ登録情報は、氏名、住所、端末装置４０ａの端末識別情報（端末ＩＤ；例えば携帯電話番号など）、自動車５０の車両識別番号（Vehicle Identification Number：ＶＩＮ）、ＩＶＩ機器５２ａのナビゲーションのアプリケーション識別情報（ナビＩＤ）などを含む情報である。情報配信装置３０のユーザ登録部３３は、ウェブ（Ｗｅｂ）サイトによりユーザ登録を受け付けてもよい。
【００４５】
（ステップＳ１ａ）  情報配信装置３０は、通信路１０４を介して端末装置４０ａへ提供情報を送信する。提供情報は、送客の目的地を示す位置情報を含む情報である。位置情報は、例えば、目的地の住所又は「緯度および経度」である。提供情報は、例えば、店舗の広告であって当該店舗の位置情報を含む情報である。また、提供情報は、店舗で利用できる割引等の特典が付いた電子クーポンを含む情報であってもよい。図５の例では、提供情報Ａは、店舗Ｂの広告であって、当該店舗Ｂの位置情報と、店舗Ｂで利用できる千円分の割引の特典が付いた電子クーポンＣとを含む情報である。端末装置４０ａは、情報配信装置３０から受信した提供情報Ａをメモリに格納する。
【００４６】
（ステップＳ２ａ）  端末装置４０ａの端末制御部４７は、提供情報Ａを表示部４５に表示し、提供情報Ａの選択を促す。例えば、端末制御部４７は、表示部４５に、提供情報Ａを表示すると共にメッセージ「ここへ行きますか？」並びに選択ボタン「はい」及び「いいえ」を表示する。端末ユーザは、選択ボタン「はい」又は「いいえ」を選択する操作を行う。端末制御部４７は、選択ボタン「はい」が選択されるユーザ操作を受け付けた場合、ステップＳ３ａに進む。一方、端末制御部４７は、選択ボタン「いいえ」が選択されるユーザ操作を受け付けた場合、図５の処理を終了する。
【００４７】
（ステップＳ３ａ）  端末装置４０ａの端末制御部４７は、端末装置４０ａと自動車５０のＩＶＩ機器５２ａとの間の通信路１０６を確立させる。なお、端末装置４０ａと自動車５０のＩＶＩ機器５２ａとの間の通信路１０６は、予め確立されていてもよい。通信路１０６が予め確立されている場合、ステップＳ３ａを省略してステップＳ４ａに進む。
【００４８】
（ステップＳ４ａ）  端末装置４０ａの端末制御部４７は、提供情報Ａに基づいたナビゲーション情報を自動車５０へ車両インタフェース４１により送信する。自動車５０のＩＶＩ機器５２ａのナビゲーション制御部５２５は、端末装置４０ａから端末インタフェース５２１により受信したナビゲーション情報に基づいてナビゲーションを実行する。これにより、自動車５０のＩＶＩ機器５２ａにおいて、提供情報Ａに係る店舗Ｂへのナビゲーションを自動的に実行することができる。
【００４９】
（ナビゲーションの例１）
ナビゲーション情報が提供情報Ａに含まれる店舗Ｂの位置情報である場合、ナビゲーション制御部５２５は、店舗Ｂの位置情報で示される店舗Ｂの位置を目的地に設定し、店舗Ｂの位置（目的地）へのナビゲーションを実行する。
【００５０】
（ナビゲーションの例２）
ナビゲーション情報が提供情報Ａに含まれる店舗Ｂの位置情報で示される店舗Ｂの位置を目的地にしたナビゲーション画面である場合、ナビゲーション制御部５２５は、当該ナビゲーション画面を表示部５２３に表示し、当該ナビゲーション画面により目的地へのナビゲーションを実行する。
【００５１】
なお、提供情報は、端末ユーザにお勧めする店舗や施設等の複数のお勧めスポットの情報を含む情報誌の形態（以下、提供情報誌と称する）であってもよい。端末ユーザは、端末装置４０ａにより、提供情報誌を閲覧し、提供情報誌の中から所望のお勧めスポットを選択するクリック操作を行う。端末制御部４７は、当該クリック操作を受け付けると、当該クリック操作により選択されたお勧めスポットのナビゲーション情報を自動車５０へ車両インタフェース４１により送信する。
【００５２】
又は、端末制御部４７は、提供情報誌の中から所望のお勧めスポットを選択するクリック操作を受け付けると、表示部４５に、当該クリック操作により選択されたお勧めスポットを示す地図画面を表示すると共にメッセージ「ここへ行きますか？」並びに選択ボタン「はい」及び「いいえ」を表示する。端末制御部４７は、選択ボタン「はい」が選択されるユーザ操作を受け付けた場合に、当該クリック操作により選択されたお勧めスポットのナビゲーション情報を自動車５０へ車両インタフェース４１により送信する。一方、端末制御部４７は、選択ボタン「いいえ」が選択されるユーザ操作を受け付けた場合には、当該クリック操作により選択されたお勧めスポットのナビゲーション情報を自動車５０へ送信しない。
【００５３】
上述した提供情報誌によれば、複数のお勧めスポットの中から所望のお勧めスポットを閲覧したり、目的地に設定したりすることをユーザが容易に行うことができる。これにより、お勧めスポットへの送客率を向上させる効果が得られる。
【００５４】
＜ナビゲーション方法の例Ａ−２＞
図６を参照して、本実施形態に係るナビゲーション方法の例Ａ−２を説明する。図６は、本実施形態に係るナビゲーション方法の手順の例Ａ−２を示すフローチャートである。
【００５５】
上述した情報提供方法の例Ａ−１と同様に、端末ユーザは、事前に、情報配信装置３０にユーザ登録を行う。ステップＳ１ａ及びステップＳ２ａは、上述した情報提供方法の例Ａ−１と同じである。提供情報Ａを選択するユーザ操作を受け付けた場合に、ステップＳ３ａへ進む。
【００５６】
（ステップＳ３ａ）  端末装置４０ａの端末制御部４７は、端末装置４０ａと自動車５０のＩＶＩ機器５２ａとの間の通信路１０６を確立させる。次いで、端末制御部４７は、通信路１０６が確立しているか否かを判断する。通信路１０６が確立している（端末装置４０ａが自動車５０と通信接続している）場合にはステップＳ４ａに進む。一方、通信路１０６が確立していない（端末装置４０ａが自動車５０と通信接続していない）場合にはステップＳ５に進む。なお、端末装置４０ａと自動車５０のＩＶＩ機器５２ａとの間の通信路１０６は、予め確立されていてもよい。通信路１０６が予め確立されている場合、ステップＳ４ａに進む。
【００５７】
ステップＳ４ａは、上述した情報提供方法の例Ａ−１と同じである。
【００５８】
（ステップＳ５）  端末制御部４７は、提供情報Ａに基づいたナビゲーション情報を表示部４５に表示させる。例えば、端末制御部４７は、提供情報Ａに含まれる店舗Ｂの位置情報で示される店舗Ｂの位置を目的地にして、鉄道やバス等の公共交通機関を利用する経路のナビゲーションを実行する。公共交通機関を利用する経路のナビゲーションによれば、端末装置４０ａが自動車５０に通信接続していないので、端末ユーザが自動車５０を利用しないで公共交通機関を利用する可能性があることから、端末ユーザにとって使い勝手がよいという効果が得られる。
【００５９】
なお、端末制御部４７は、自動車５０を利用する経路のナビゲーションと公共交通機関を利用する経路のナビゲーションとのいずれかを選択するためのナビゲーション選択画面を表示し、選択された方のナビゲーションを実行してもよい。
【００６０】
上述した第１実施形態によれば、端末装置４０ａは、情報配信装置３０から端末装置４０ａへ配信された提供情報を選択するユーザ操作を受け付けた場合に、当該提供情報に基づいたナビゲーション情報を自動車５０へ車両インタフェース４１により送信する。これにより、自動車５０において提供情報に基づいたナビゲーション情報により自動的にナビゲーションを実行することができるので、提供情報によって送客に寄与することができるという効果が得られる。
【００６１】
また、端末装置４０ａは、車両インタフェース４１により自動車５０と通信接続されていない場合、端末装置４０ａの表示画面にナビゲーション情報を表示させる。これにより、端末装置４０ａと自動車５０とが通信接続されている場合には自動車５０のＩＶＩ機器５２ａにより自動車５０を利用する経路のナビゲーションを行い、一方、端末装置４０ａと自動車５０とが通信接続されていない場合には端末装置４０ａにより公共交通機関を利用する経路のナビゲーションを行うことを選択的に実行することができる。
【００６２】
例えば、端末ユーザが自動車５０に乗車するまでは、端末装置４０ａと自動車５０とが通信接続されておらず、端末装置４０ａが提供情報に基づいて公共交通機関を利用する経路のナビゲーションを行う。その後、端末ユーザが自動車５０に乗車すると、端末装置４０ａと自動車５０とが通信接続されて、ＩＶＩ機器５２ａが提供情報に基づいて自動車５０を利用する経路のナビゲーションを行う。これにより、端末ユーザが自動車５０に乗車する前の公共交通機関を利用する経路のナビゲーションから、端末ユーザが自動車５０に乗車した後の自動車５０を利用する経路のナビゲーションへ、自動的に切り替えることができる。
【００６３】
［第２実施形態］
図７は、第２実施形態に係る情報提供システムの概略構成図である。図７において、図１の各部に対応する部分には同一の符号を付け、その説明を省略する。図７において、情報提供システム１ｂは、情報配信装置３０と、端末装置４０ｂと、自動車５０と、を備える。自動車５０において、上述した図１に示す構成と異なる点は、ＩＶＩ機器５２ｂのみである。ＩＶＩ機器５２ｂは情報処理装置の例である。端末装置４０ｂは、自動車５０の車内に存在してもよく、又は、自動車５０の車外に存在してもよい。
【００６４】
情報配信装置３０は、通信路１０２を介して自動車５０のＴＣＵ５１と通信を行う。情報配信装置３０は、自動車５０のＴＣＵ５１を介して、自動車５０に搭載された装置例と通信を行う。情報配信装置３０は、自動車５０のＴＣＵ５１を介して、自動車５０に搭載されたＩＶＩ機器５２ｂと通信を行う。通信路１０２は、ＴＣＵ５１が利用する無線通信ネットワークの無線通信路を含む通信路である。通信路１０２は、無線通信路と有線通信路とから構成されてもよい。通信路１０２は、例えば、ＴＣＵ５１が利用する無線通信ネットワークと、インターネットとを含む通信路であってもよい。
【００６５】
情報配信装置３０は、提供情報を配信する装置である。本実施形態の一例として、情報配信装置３０は、通信路１０２を介して提供情報を自動車５０へ送信する。提供情報は、上述した第１実施形態と同様である。
【００６６】
図８は、本実施形態に係る端末装置の機能構成例を示すブロック図である。図８において、図３の各部に対応する部分には同一の符号を付け、その説明を省略する。図８には、端末装置４０ｂの情報提供に係る機能構成が示される。図８において、端末装置４０ｂは、車両インタフェース４１と、車両情報取得部４２と、表示部４５と、操作部４６と、端末制御部４７とを備える。本実施形態では、端末装置４０ｂは、提供情報受信部４４を備えない。
【００６７】
図９は、本実施形態に係るＩＶＩ機器の機能構成例を示すブロック図である。図９において、図４の各部に対応する部分には同一の符号を付け、その説明を省略する。図９には、ＩＶＩ機器５２ｂの情報提供に係る機能構成が示される。図９において、ＩＶＩ機器５２ａは、端末インタフェース５２１と、車両情報提供部５２２と、表示部５２３と、操作部５２４と、ナビゲーション制御部５２５と、提供情報受信部５２６とを備える。
【００６８】
提供情報受信部５２６は、情報配信装置３０から配信された提供情報を受信する。本実施形態の一例として、提供情報受信部５２６は、情報配信装置３０から通信路１０２を介して提供情報を受信する。
【００６９】
ナビゲーション制御部５２５は、情報配信装置３０からＩＶＩ機器５２ｂへ配信された提供情報を選択するユーザ操作を受け付けた場合に、当該提供情報に基づいたナビゲーション情報をＩＶＩ機器５２ｂの表示部５２３の表示画面に表示させる。ナビゲーション制御部５２５は、当該提供情報に含まれる位置情報で特定される目的地へのナビゲーションを実行する。また、ナビゲーション制御部５２５は、自動車５０が当該目的地に到着するタイミングで、当該提供情報を端末装置４０ｂへ端末インタフェース５２１により送信してもよい。
【００７０】
次に本実施形態に係るナビゲーション方法の例を説明する。
【００７１】
＜ナビゲーション方法の例＞
図１０を参照して、本実施形態に係るナビゲーション方法の例を説明する。図１０は、本実施形態に係るナビゲーション方法の手順の例を示すフローチャートである。
【００７２】
端末装置４０ｂのユーザ（以下、端末ユーザと称する）は、事前に、情報配信装置３０にユーザ登録を行う。情報配信装置３０のユーザ登録部３３は、端末ユーザのユーザ登録により取得した端末ユーザのユーザ登録情報を記録する。ユーザ登録情報は、氏名、住所、端末装置４０ｂの端末識別情報（端末ＩＤ；例えば携帯電話番号など）、自動車５０の車両識別番号（ＶＩＮ）、ＩＶＩ機器５２ｂのナビゲーションのアプリケーション識別情報（ナビＩＤ）などを含む情報である。情報配信装置３０のユーザ登録部３３は、ウェブ（Ｗｅｂ）サイトによりユーザ登録を受け付けてもよい。
【００７３】
（ステップＳ１ｂ）  情報配信装置３０は、通信路１０２を介して自動車５０へ提供情報を送信する。提供情報は、上述した第１実施形態と同様に、送客の目的地を示す位置情報を含む情報である。図１０の例では、提供情報Ａは、店舗Ｂの広告であって、当該店舗Ｂの位置情報と、店舗Ｂで利用できる千円分の割引の特典が付いた電子クーポンＣとを含む情報である。自動車５０のＩＶＩ機器５２ｂは、情報配信装置３０から受信した提供情報Ａをメモリに格納する。
【００７４】
（ステップＳ２ｂ）  自動車５０のＩＶＩ機器５２ｂのナビゲーション制御部５２５は、提供情報Ａを表示部５２３に表示し、提供情報Ａの選択を促す。例えば、ナビゲーション制御部５２５は、表示部５２３に、提供情報Ａを表示すると共にメッセージ「ここへ行きますか？」並びに選択ボタン「はい」及び「いいえ」を表示する。端末ユーザは、選択ボタン「はい」又は「いいえ」を選択する操作を行う。ナビゲーション制御部５２５は、選択ボタン「はい」が選択されるユーザ操作を受け付けた場合、ステップＳ３ｂに進む。一方、ナビゲーション制御部５２５は、選択ボタン「いいえ」が選択されるユーザ操作を受け付けた場合、図１０の処理を終了する。
【００７５】
（ステップＳ３ｂ）  ナビゲーション制御部５２５は、ＩＶＩ機器５２ｂと端末装置４０ｂとの間の通信路１０６を確立させる。なお、ＩＶＩ機器５２ｂと端末装置４０ｂとの間の通信路１０６は、予め確立されていてもよい。通信路１０６が予め確立されている場合、ステップＳ３ｂを省略してステップＳ４ｂに進む。
【００７６】
（ステップＳ４ｂ）  ナビゲーション制御部５２５は、提供情報Ａに基づいたナビゲーション情報をＩＶＩ機器５２ｂの表示部５２３の表示画面に表示させる。ナビゲーション制御部５２５は、提供情報Ａに含まれる店舗Ｂの位置情報で示される店舗Ｂの位置を目的地に設定し、店舗Ｂの位置（目的地）へのナビゲーションを実行する。これにより、自動車５０のＩＶＩ機器５２ｂにおいて、提供情報Ａに係る店舗Ｂへのナビゲーションを自動的に実行することができる。
【００７７】
次いで、ナビゲーション制御部５２５は、自動車５０が店舗Ｂの位置（目的地）に到着するタイミングで、提供情報Ａを端末装置４０ｂへ送信する。本実施形態の一例として、提供情報Ａに含まれる電子クーポンＣが端末装置４０ｂへ送信される。端末装置４０ｂは、自動車５０から受信した電子クーポンＣをメモリに格納する。端末装置４０ｂの端末制御部４７は、電子クーポンＣを表示部４５に表示する。これにより、端末ユーザは、ナビゲーションにより到着した店舗Ｂで電子クーポンＣを提示することにより、千円分の割引の特典を受けることができる。なお、自動車５０から端末装置４０ｂへ提供情報Ａ（例えば電子クーポンＣ）を送信する通信経路は、端末インタフェース５２１による端末装置４０ｂとの直接的な通信経路であってもよく、又は、電子メール等によるインターネット経由の通信経路であってもよい。
【００７８】
なお、提供情報は、上述した第１実施形態と同様に、端末ユーザにお勧めする店舗や施設等の複数のお勧めスポットの情報を含む提供情報誌であってもよい。端末ユーザは、ＩＶＩ機器５２ｂにより、提供情報誌を閲覧し、提供情報誌の中から所望のお勧めスポットを選択するクリック操作を行う。ナビゲーション制御部５２５は、当該クリック操作を受け付けると、当該クリック操作により選択されたお勧めスポットのナビゲーション情報を表示部５２３の表示画面に表示させる。
【００７９】
又は、ナビゲーション制御部５２５は、提供情報誌の中から所望のお勧めスポットを選択するクリック操作を受け付けると、表示部５２３に、当該クリック操作により選択されたお勧めスポットを示す地図画面を表示すると共にメッセージ「ここへ行きますか？」並びに選択ボタン「はい」及び「いいえ」を表示する。ナビゲーション制御部５２５は、選択ボタン「はい」が選択されるユーザ操作を受け付けた場合に、当該クリック操作により選択されたお勧めスポットのナビゲーション情報を表示部５２３の表示画面に表示させる。一方、ナビゲーション制御部５２５は、選択ボタン「いいえ」が選択されるユーザ操作を受け付けた場合には、当該クリック操作により選択されたお勧めスポットのナビゲーション情報を表示部５２３に表示しない。
【００８０】
上述した提供情報誌によれば、複数のお勧めスポットの中から所望のお勧めスポットを閲覧したり、目的地に設定したりすることをユーザが容易に行うことができる。これにより、お勧めスポットへの送客率を向上させる効果が得られる。
【００８１】
なお、ナビゲーション制御部５２５は、自動車５０の車両情報の一例であるギア情報に基づいて自動車５０のトランスミッションのギアが「パーキング（駐車）」状態になっている場合にのみ、提供情報を表示部５２３に表示してもよい。これにより、自動車５０の運転者が運転している最中には提供情報が提示されないので、提供情報の提示が運転の妨げになることを未然に防止できる。
【００８２】
上述した第２実施形態によれば、自動車５０のＩＶＩ機器５２ｂは、情報配信装置３０からＩＶＩ機器５２ｂへ配信された提供情報を選択するユーザ操作を受け付けた場合に、当該提供情報に基づいたナビゲーション情報をＩＶＩ機器５２ｂの表示画面に表示し、当該提供情報に含まれる位置情報で特定される目的地へのナビゲーションを実行する。これにより、自動車５０において提供情報に基づいたナビゲーション情報により自動的にナビゲーションを実行することができるので、提供情報によって送客に寄与することができるという効果が得られる。
【００８３】
また、ＩＶＩ機器５２ｂは、自動車５０が提供情報Ａに基づいた目的地（店舗Ｂ）に到着するタイミングで、提供情報（例えば電子クーポンＣ）を端末装置４０ｂへ送信する。これにより、端末ユーザは、ナビゲーションにより到着した店舗Ｂで電子クーポンＣを提示することにより、千円分の割引の特典を受けることができる。このように、ナビゲーションと提供情報（例えば電子クーポンＣ）の端末装置４０ｂへの送信とを連動させることにより、送客効果の増大が可能である。
【００８４】
［第３実施形態］
第３実施形態は、上述した情報提供システム１ａ、１ｂの一適用例である送客ビジネスモデルを実現するものである。図１１は、本実施形態に係る情報提供システムの適用例の説明図である。図１１の適用例では、上述した情報提供システム１ａを適用している。なお、上述した情報提供システム１ｂについても同様に適用できる。
【００８５】
以下、図１１を参照して、本実施形態に係る情報提供方法の例を説明する。
【００８６】
本実施形態では、提供情報を利用して、レストラン等の店舗や給油所等のサービス施設などの広告主への送客を図る。自動車５０は、送客に利用される送客ツールである。端末装置４０ａのユーザ（以下、端末ユーザと称する）は端末装置４０ａを所持して送客ツール（自動車）５０に乗車している。端末ユーザは、送客ツール（自動車）５０の運転者であってもよく、運転者ではない送客ツール（自動車）５０の同乗者であってもよい。
【００８７】
（ステップＳ１０１）  情報配信装置３０は、ユーザ登録済みの端末ユーザの端末ＩＤの端末装置４０ａから、端末ユーザの趣向を示す趣向情報を受信する。情報配信装置３０のユーザ登録部３３は、受信した趣向情報を端末ユーザのユーザ登録情報に含めて記録する。
【００８８】
情報配信装置３０は、ユーザ登録済みの端末ユーザのＶＩＮの自動車５０から、自動車５０の走行ログを受信する。情報配信装置３０のユーザ登録部３３は、受信した走行ログを端末ユーザのユーザ登録情報に含めて記録する。
【００８９】
（ステップＳ１０２）  情報配信装置３０の提供情報取得部３２は、広告主から、広告やクーポンなどの提供情報を収集する。提供情報取得部３２は、収集した提供情報を蓄積する。
【００９０】
（ステップＳ１０３）  情報配信装置３０は、提供情報送信部３１により端末装置４０ａへ提供情報を配信する。但し、端末ユーザへの提供情報の提示は、情報提供制御部１０の制御に従って行われる。図１１の例では、送客ツール（自動車）５０がパーキング（駐車）している時に、広告やクーポンなどの提供情報が端末装置４０ａへ配信されて端末装置４０ａに表示される。端末装置４０ａにより端末ユーザに提示された広告やクーポンなどの提供情報は、広告主の店舗やサービス施設へ、送客ツール（自動車）５０に乗車している人（客）を誘導する送客効果を生む。
【００９１】
（ステップＳ１０４）  端末装置４０ａの車両インタフェース４１は、送客ツール（自動車）５０へ、広告やクーポンなどの提供情報に含まれる広告主の店舗やサービス施設の住所を送信する。送客ツール（自動車）５０のＩＶＩ機器５２ａは、端末インタフェース５２１により広告主の店舗やサービス施設の住所を受信すると、ＩＶＩ機器５２ａのナビゲーション機能により、広告主の店舗やサービス施設の住所に至る道案内を行う。これにより、送客ツール（自動車）５０により客が広告主の店舗やサービス施設に訪れる。客は、広告主の店舗やサービス施設で提供情報の広告やクーポンを提示することにより、割引等の特典を受けることができる。
【００９２】
（ステップＳ１０５）  広告主は、提供情報の広告やクーポンによる送客実績に応じた成果報酬を情報提供システムの運用者へ支払う。成果報酬の支払情報は、情報配信装置３０の成果処理部３４へ通知される。
【００９３】
（ステップＳ１０６）  成果処理部３４は、成果報酬の支払情報が示す成果報酬を、所定の成果処理方法に従って分配する処理を実行する。図１１の例では、送客ツールである自動車５０の車両メーカに対して、成果報酬が分配される。
【００９４】
［提供情報の選択方法］
次に端末ユーザへ提供する提供情報の選択方法を説明する。ここでの説明において、端末装置４０及びＩＶＩ機器５２は、第１実施形態に係る情報提供システム１ａの端末装置４０ａ及びＩＶＩ機器５２ａであってもよく、又は、第２実施形態に係る情報提供システム１ｂの端末装置４０ｂ及びＩＶＩ機器５２ｂであってもよい。
提供情報は広告主から収集されて情報配信装置３０に蓄積される。情報配信装置３０は、蓄積された提供情報の中から、端末ユーザへ提供する提供情報を選択する。提供情報の選択の際には、ユーザ登録済みの端末ユーザのＶＩＮの自動車５０の車両情報と、ユーザ登録済みの端末ユーザの端末ＩＤの端末装置４０の端末情報とを利用することができる。情報配信装置３０は、端末ユーザに係る車両情報若しくは端末情報、又は、端末ユーザに係る車両情報及び端末情報の両方、に基づいて、蓄積された提供情報の中から端末ユーザへ提供する提供情報を選択してもよい。以下、提供情報の選択の際に利用できる車両情報及び端末情報について説明する。
【００９５】
（車両情報）
提供情報の選択の際に利用できる車両情報の例を以下に示す。
（１）自動車５０の車両識別番号（ＶＩＮ）
（２）自動車５０の購入時などに収集される、氏名、住所、年齢などの個人情報である。
（３）自動車５０のＩＶＩ機器５２のナビゲーション機能にセットされる目的地情報である。例えば、目的地までの経路上にあるレストランなど、立ち寄りに適した店舗の広告やクーポンなどの提供情報を選択することにより、当該店舗への送客効果が期待できる。
（４）走行ログ
（４−１）連続走行時間である。例えば、長時間運転している自動車５０の端末ユーザに対して、休憩スポットの施設の紹介や道案内などの提供情報を選択することにより、当該休憩スポットの施設への送客効果が期待できる。
（４−２）運転ログである。例えば、自動車５０の位置、車速、ブレーキ、舵角などの運転情報から端末ユーザの疲れ度合いを推測し、推測結果に応じて休憩スポットの施設の紹介や道案内などの提供情報を選択することにより、当該休憩スポットの施設への送客効果が期待できる。
（５）ＣＡＮ等の車載ネットワーク５４から取得された情報のログ
（５−１）燃料残量である。例えば、燃料残量が残り少ない自動車５０の端末ユーザに対して、給油所の紹介や道案内などの提供情報を選択することにより、当該給油所への送客効果が期待できる。
（５−２）ＥＣＵエラーメッセージである。自動車５０のＥＣＵ５５に生じるエラーメッセージに基づいて、自動車５０の正規ディーラや自動車整備工場の紹介や道案内などの提供情報を選択することにより、当該正規ディーラや自動車整備工場への送客効果が期待できる。
【００９６】
（端末情報）
提供情報の選択の際に利用できる端末情報の例を以下に示す。
（１）端末装置４０の購入時などに収集される、氏名、住所、年齢などの個人情報である。
（２）端末ＩＤである。端末ＩＤとして、例えば、携帯電話番号、ＩＭＥＩ（International Mobile Equipment Identity）、ＩＭＳＩ（International Mobile Subscriber Identity）、電子メールアドレスなどが挙げられる。
（３）趣向情報
（３−１）端末装置４０のアプリケーションの利用頻度や利用時間である。
（３−２）端末装置４０のアプリケーションにより提示された広告のうち、端末ユーザの操作によって閲覧された広告を示す広告閲覧履歴である。
（３−３）端末装置４０の位置などの端末装置４０の移動履歴から取得される端末ユーザの行動を示す行動履歴である。
【００９７】
上述した各実施形態によれば、自動車５０のＩＶＩ機器５２において、提供情報に基づいたナビゲーションを自動的に実行することができる。これにより、提供情報によって送客に寄与することができるという効果が得られる。また、自動車５０のナビゲーションが実行されることにより、自動車５０によって、通常は徒歩で行けないような遠方の店舗などへ送客することができる。
【００９８】
以上、本発明の実施形態について図面を参照して詳述してきたが、具体的な構成はこの実施形態に限られるものではなく、本発明の要旨を逸脱しない範囲の設計変更等も含まれる。
【００９９】
上述した実施形態では、車両として自動車を例に挙げたが、原動機付自転車や鉄道車両等の自動車以外の他の車両にも適用可能である。
【０１００】
また、上述した各装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【０１０１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１０２】
１ａ，１ｂ…情報提供システム、１０…情報提供制御部、３０…情報配信装置、３１…提供情報送信部、３２…提供情報取得部、３３…ユーザ登録部、３４…成果処理部、４０ａ，４０ｂ…端末装置、４１…車両インタフェース、４２…車両情報取得部、４４，５２６…提供情報受信部、４５，５２３…表示部、４６，５２４…操作部、４７…端末制御部、５０…自動車、５１…ＴＣＵ、５２ａ，５２ｂ…ＩＶＩ機器、５３…ＧＷ装置、５４…車載ネットワーク、５５…ＥＣＵ、５２１…端末インタフェース、５２２…車両情報提供部、５２５…ナビゲーション制御部
【図１】
2020003369.tif 000003
【図２】
2020003369.tif 000004
【図３】
2020003369.tif 000005
【図４】
2020003369.tif 000006
【図５】
2020003369.tif 000007
【図６】
2020003369.tif 000008
【図７】
2020003369.tif 000009
【図８】
2020003369.tif 000010
【図９】
2020003369.tif 000011
【図１０】
2020003369.tif 000012
【図１１】
2020003369.tif 000013